(57)【要約】【課題】広画角、高ズーム比、小型軽量で且つ全ズーム範囲に渡り高い光学性能を有するズームレンズ及びそれを有する撮像装置を提供すること。【解決手段】ズームレンズは、物体側から像側へ順に、ズーミング中に不動の正の屈折力の第１レンズ群、ズーミング中に移動する負の屈折力の第２レンズ群、ズーミング中に移動する負の屈折力の第３レンズ群、ズーミング中に移動する負の屈折力の第４レンズ群、ズーミング中に不動の正の屈折力の第５レンズ群から構成される。広角端から望遠端へのズーミングに際して第２レンズ群は物体側から像側へ移動し、第２レンズ群よりも像側に開口絞りを有し、広角端における第２レンズ群と第３レンズ群及び第３レンズ群と第４レンズ群の光軸上の空気間隔、広角端からズーム中間における第３レンズ群のズーミングに伴う移動軌跡、第２レンズ群及び前記第３レンズ群の焦点距離を適切に設定した。【選択図】  図１
2020003512.tif 000002
【特許請求の範囲】
【請求項１】
物体側から像側へ順に、ズーミング中に不動の正の屈折力の第１レンズ群、ズーミング中に移動する負の屈折力の第２レンズ群、ズーミング中に移動する負の屈折力の第３レンズ群、ズーミング中に移動する負の屈折力の第４レンズ群、ズーミング中に不動の正の屈折力の第５レンズ群から構成され、広角端から望遠端へのズーミングに際して前記第２レンズ群は物体側から像側へ移動し、前記第２レンズ群よりも像側に開口絞りを有し、広角端におけるレンズ全系の焦点距離をｆＷ、ズーム比をＺ、広角端における前記第２レンズ群と前記第３レンズ群、前記第３レンズ群と前記第４レンズ群の光軸上の空気間隔をそれぞれＷＬ２、ＷＬ３、広角端からのズーム比がＺ０．００５からＺ０．３５までの広角側ズーム域における前記第３レンズ群と前記第４レンズ群の光軸上の空気間隔の最小値をＷＭＬ３、前記第２レンズ群、前記第３レンズ群の焦点距離をそれぞれｆ２、ｆ３とするとき、
１．５０＜ＷＬ３／ＷＭＬ３＜１５．００
０．２０＜ＷＬ２／ＷＬ３＜５．００
０．０５＜｜ｆ２／ｆ３｜＜０．６０
を満たすことを特徴とするームレンズ。
【請求項２】
望遠端における前記第２レンズ群と前記第３レンズ群の光軸上の空気間隔をＴＬ２とするとき、
５．００＜ＷＬ２／ＴＬ２＜２５．００
を満たすことを特徴とする請求項１に記載のズームレンズ。
【請求項３】
前記第４レンズ群の焦点距離をｆ４とするとき、
０．５０＜｜ｆ３／ｆ４｜＜２．５０
を満たすことを特徴とする請求項１または２に記載のズームレンズ。
【請求項４】
前記第１レンズ群の焦点距離をｆ１、広角端における前記第２レンズ群と前記第３レンズ群の合成焦点距離をｆ２３Ｗとするとき、
４．００＜｜ｆ１／ｆ２３Ｗ｜＜１６．００
を満たすことを特徴とする請求項１乃至３のいずれか１項に記載のズームレンズ。
【請求項５】
望遠端における前記第２レンズ群と前記第３レンズ群の合成焦点距離をｆ２３Ｔとするとき、
３．００＜｜ｆ１／ｆ２３Ｔ｜＜１０．００
を満たすことを特徴とする請求項１乃至４のいずれか１項に記載のズームレンズ。
【請求項６】
前記第３レンズ群の少なくとも１面に非球面を有することを特徴とする請求項１乃至５のいずれか１項に記載のズームレンズ。
【請求項７】
前記第３レンズ群が少なくとも１枚の正レンズ、少なくとも１枚の負レンズを有することを特徴とする請求項１乃至６のいずれか１項に記載のズームレンズ。
【請求項８】
無限遠から有限距離に合焦をする際に前記第１レンズ群の一部を像側から物体側へ駆動することでフォーカス調整を行うことを特徴とする請求項１乃至７のいずれか１項に記載のズームレンズ。
【請求項９】
無限遠から有限距離に合焦をする際に前記第４レンズ群を像側から物体側へ駆動することでフォーカス調整を行うことを特徴とする請求項１乃至８のいずれか１項に記載のズームレンズ。
【請求項１０】
前記開口絞りが前記第４レンズ群と前記第５レンズ群の間に位置することを特徴とする請求項１乃至９のいずれか１項に記載のズームレンズ。
【請求項１１】
請求項１乃至１０のいずれか１項に記載のズームレンズと、該ズームレンズによって形成した像を受光する撮像素子と、を有していることを特徴とする撮像装置。
【請求項１２】
前記撮像素子のイメージサイズの対角長をφとするとき、
０．４０＜ｆＷ／φ
１０．００＜Ｚ
なる条件を満足することを特徴とする請求項１１に記載の撮像装置。
【発明の詳細な説明】
【技術分野】
【０００１】
本発明は、ズームレンズ及びそれを有する撮像装置に関し、特に放送用テレビカメラ、映画用カメラ、ビデオカメラ、デジタルスチルカメラ、銀塩写真用カメラ等に好適なものである。
【背景技術】
【０００２】
近年、テレビカメラや映画用カメラ、ビデオカメラ、写真用カメラ等の撮像装置には、広画角、高ズーム比、小型軽量で且つ高い光学性能を有するズームレンズが求められている。広画角、高ズーム比のズームレンズとして、特許文献１、２で提案されているように最も物体側にズーミング中に不動の正の屈折力の群を配置し、全体として５つの群により構成されるポジティブリード型のズームレンズが知られている。
【０００３】
特許文献１、２では正の屈折力の第１レンズ群、負の屈折力の第２レンズ群、負の屈折力の第３レンズ群、負の屈折力の第４レンズ群、正の屈折力の第５レンズ群で構成される５群ズームレンズが提案されている。特許文献１ではズーム比１７．８倍程度の高ズーム比のズームレンズが開示している。特許文献２ではズーム比１０倍〜４１倍程度、広角端の全画角５３°〜１００°程度の広画角かつ高ズーム比のズームレンズが開示している。特許文献１では、ズーム中間で第２レンズ群と第３レンズ群の間隔を大きくすることで、光学性能を良好に維持したまま第１レンズ群の小型軽量化を図っている。特許文献２では、第２レンズ群と第３レンズ群の間隔を広角端で大きく、望遠端で小さくすることで、高ズーム比を維持しつつ、全系の小型軽量化を図っている。
【先行技術文献】
【特許文献】
【０００４】
【特許文献１】特開平７−１３０７５号公報
【特許文献２】特許５４３０３３２号
【発明の概要】
【発明が解決しようとする課題】
【０００５】
テレビや映画の撮影においては、広画角、高ズーム比であるとともに、カメラを肩に担いで使用する場合が多いため、より小型軽量で携帯性に優れたズームレンズが求められている。前述のポジティブリード型のズームレンズにおいて、広画角、高ズーム比、小型軽量で且つ高い光学性能を得るには、第２レンズ群、第３レンズ群、第４レンズ群の屈折力及びズーミングに伴う移動軌跡を適切に設定することが重要となってくる。前述の５群ズームレンズにおいて、全系の小型軽量化を図りつつ、高ズーム比化を図るには、第２レンズ群の屈折力を大きくすることなくズーミングに伴う第２レンズ群の移動量を低減することが重要になってくる。又、第１レンズ群の小型軽量化を図るには、第１レンズ群のレンズ径が決まるズーム中間において第１レンズ群を通る軸外光線の高さを低くすることが重要になってくる。
【０００６】
本発明は、以上に鑑みて、前述のポジティブリード型のズームレンズにおいて、広画角、高ズーム比、小型軽量で、且つ全ズーム範囲において高い光学性能を有するズームレンズの提供を目的とする。
【課題を解決するための手段】
【０００７】
本発明のズームレンズは、物体側から像側へ順に、ズーミング中に不動の正の屈折力の第１レンズ群、ズーミング中に移動する負の屈折力の第２レンズ群、ズーミング中に移動する負の屈折力の第３レンズ群、ズーミング中に移動する負の屈折力の第４レンズ群、ズーミング中に不動の正の屈折力の第５レンズ群から構成され、広角端から望遠端へのズーミングに際して前記第２レンズ群は物体側から像側へ移動し、前記第２レンズ群よりも像側に開口絞りを有し、広角端におけるレンズ全系の焦点距離をｆＷ、ズーム比をＺ、広角端における前記第２レンズ群と前記第３レンズ群、前記第３レンズ群と前記第４レンズ群の光軸上の空気間隔をそれぞれＷＬ２、ＷＬ３、広角端からのズーム比がＺ０．００５からＺ０．３５までの広角側ズーム域における前記第３レンズ群と前記第４レンズ群の光軸上の空気間隔の最小値をＷＭＬ３、前記第２レンズ群、前記第３レンズ群の焦点距離をそれぞれｆ２、ｆ３とするとき、
１．５０＜ＷＬ３／ＷＭＬ３＜１５．００                  ・・・（１）
０．２０＜ＷＬ２／ＷＬ３＜５．００                ・・・（２）
０．０５＜｜ｆ２／ｆ３｜＜０．６０                   ・・・（３）
を満たすことを特徴としている。
【発明の効果】
【０００８】
本発明によれば、広画角、高ズーム比、小型軽量で且つ全ズーム範囲に渡り高い光学性能を有するズームレンズ及びそれを有する撮像装置を得られる。
【図面の簡単な説明】
【０００９】
【図１】図１は本発明の数値実施例１のズームレンズの広角端で無限遠物体に合焦しているときのレンズ断面図である。
【図２】図２（Ａ）、（Ｂ）、（Ｃ）は、数値実施例１の物体距離無限遠でのそれぞれ広角端、広角側において第２、３レンズ群の光軸上の空気間隔が最も小さくなる焦点距離１２．９３ｍｍ、望遠端における縦収差図である。但し、焦点距離の値は、後述する数値実施例をｍｍ単位で表したときの値である。これは以下の各数値実施例において、全て同じである。
【図３】図３は本発明の数値実施例２のズームレンズの広角端で無限遠物体に合焦しているときのレンズ断面図である。
【図４】図４（Ａ）、（Ｂ）、（Ｃ）は、数値実施例２の物体距離無限遠でのそれぞれ広角端、広角側において第２、３レンズ群の光軸上の空気間隔が最も小さくなる焦点距離１４．９６ｍｍ、望遠端における縦収差図である。
【図５】図５は本発明の数値実施例３のズームレンズの広角端で無限遠物体に合焦しているときのレンズ断面図である。
【図６】図６（Ａ）、（Ｂ）、（Ｃ）は、数値実施例３の物体距離無限遠でのそれぞれ広角端、広角側において第２、３レンズ群の光軸上の空気間隔が最も小さくなる焦点距離１６．３４ｍｍ、望遠端における縦収差図である。
【図７】図７は本発明の数値実施例４のズームレンズの広角端で無限遠物体に合焦しているときのレンズ断面図である。
【図８】図８（Ａ）、（Ｂ）、（Ｃ）は、数値実施例４の物体距離無限遠でのそれぞれ広角端、広角側において第２、３レンズ群の光軸上の空気間隔が最も小さくなる焦点距離３４．５９ｍｍ、望遠端における縦収差図である。
【図９】図９は数値実施例１の５群ズームレンズにおける近軸配置及び広角端から望遠端へのズーミングにかけての第２レンズ群Ｕ２、第３レンズ群Ｕ３、第４レンズ群Ｕ４の移動軌跡の説明図である。
【図１０】図１０（ａ）、（ｂ）、（ｃ）は数値実施例１の５群ズームレンズにおけるそれぞれ広角端、ズーム中間、望遠端における光路図である。
【図１１】図１１は本発明の５群ズームレンズのズーム中間における近軸配置及び瞳近軸光線の光路に関する説明図である。
【図１２】図１２は本発明の撮像装置の要部概略図である。数値実施例１〜４の収差図において、球面収差はｅ線、ｇ線によって表されている。非点収差はｅ線のメリディオナル像面（ΔＭ）とｅ線のサジタル像面（ΔＳ）によって表されている。倍率色収差はｇ線によって表されている。数値実施例１〜４の収差図において、球面収差は０．５ｍｍ、非点収差は０．５ｍｍ、歪曲は１０％、倍率色収差は０．０５ｍｍのスケールで描かれている。ＦｎｏはＦナンバー、ωは半画角である。尚、広角端と望遠端は変倍用の第２レンズ群Ｕ２が機構上光軸上を移動可能な範囲の両端に位置したときのズーム位置をいう。
【発明を実施するための形態】
【００１０】
次に各数値実施例の特徴について説明する。本発明のズームレンズは、物体側から像側へ順に、ズーミング中に不動の正の屈折力の第１レンズ群を有している。更にズーミング中に移動する負の屈折力の第２レンズ群、ズーミング中に移動する負の屈折力の第３レンズ群、ズーミング中に移動する負の屈折力の第４レンズ群、ズーミング中に不動の正の屈折力の第５レンズ群を有している。広角端から望遠端へのズーミングに際し、前記第２レンズ群は物体側から像側へ移動する。更に前記第２レンズ群よりも像側に開口絞りを有している。
【００１１】
本数値実施例のズームレンズは、レンズ群としては前述した３つのレンズ群を備えるズームレンズであるが、本発明はこれに限定されない。例えば、第２レンズ群と第３レンズ群との間にズーミングに際して移動する負（又は正）の屈折力のレンズ群が配置されていても構わない。また第１レンズ群と第２レンズ群との間や、第３レンズ群と第４レンズ群との間や、第４レンズ群と第５レンズ群との間に、別のレンズ群が配置されていても構わない。但し、本発明のズームレンズにおいては、最も物体側に配置されたレンズ群が第１レンズ群であり、例えば後述する数値実施例１〜４に関しては、最も像側に配置されたレンズ群が第５レンズ群である。更に、本数値実施例の第２レンズ群は広角端において第１レンズ群と隣接していることが望ましい。又、本数値実施例のズームレンズは、開口絞りを第４レンズ群と第５レンズ群の間に配置しているが、本発明はこれに限定されない。例えば、第２レンズ群と第３レンズとの間、第３レンズ群と第４レンズ群の間に開口絞りが配置されていても構わない。
【００１２】
図１は本発明の数値実施例１のズームレンズの広角端で無限遠物体に合焦しているときのレンズ断面図である。Ｕ１はズーミング中不動の正の屈折力の第１レンズ群である。第１レンズ群の一部Ｆは無限遠から有限距離へのフォーカス調整に際して像側から物体側へ移動する。Ｕ２は広角端（短焦点距離端）から望遠端（長焦点距離端）へのズーミングに際して像側へ移動する変倍用の負の屈折力の第２レンズ群（バリエーターレンズ群）である。Ｕ３は広角端（短焦点距離端）から望遠端（長焦点距離端）へのズーミングに際して移動する変倍用の負の屈折力の第３レンズ群（バリエーターレンズ群）である。Ｕ４は第２レンズ群Ｕ２、第３レンズ群Ｕ３に連動して移動し、変倍に伴う像面変動を補正する負の屈折力の第４レンズ群（コンペンセーターレンズ群）である。ＳＰは開口絞りである。Ｕ５は群内の最も距離の大きい空気間隔で隔てられる正の屈折力の第５１レンズ群Ｕ５１と正の屈折力の第５２レンズ群Ｕ５２で構成されるズーミングに際して不動の正の屈折力の第５レンズ群である。Ｐは色分解プリズムや光学フィルタであり、硝子ブロックとして示している。ＩＰは像面であり、撮像素子（光電変換素子）の撮像面に相当している。
【００１３】
数値実施例２〜４においてＵ１、Ｕ２、Ｕ３、Ｕ４、Ｕ５の群構成は数値実施例１と全て同じである。数値実施例２においては、第４レンズ群は無限遠から有限距離へのフォーカス調整に際して像側から物体側へ移動する。
【００１４】
数値実施例３〜４においては、数値実施例１と同じく第１レンズ群の一部Ｆは無限遠から有限距離へのフォーカス調整に際して像側から物体側へ移動する。
【００１５】
次に、数値実施例１の各群のレンズ構成について説明する。以下、各レンズは物体側から像側へ順に配置されているものとする。Ｕ１は負レンズ、正レンズ、正レンズ２枚で構成されている。Ｕ２は負レンズ、正レンズと負レンズの接合レンズ、正レンズで構成されている。Ｕ３は負レンズで構成されている。Ｕ４は負レンズと正レンズの接合レンズで構成されている。Ｕ５は正レンズ２枚、正レンズと負レンズの接合レンズのＵ５１、正レンズ、負レンズと正レンズの接合レンズ、正レンズと負レンズの接合レンズ、正レンズのＵ５２で構成されている。
【００１６】
次に、数値実施例２の各群のレンズ構成について説明する。Ｕ１〜Ｕ５は数値実施例１と全て同じである。次に、数値実施例３の各群のレンズ構成について説明する。Ｕ１は負レンズ、正レンズ４枚で構成されている。Ｕ２〜Ｕ５は数値実施例１と全て同じである。
【００１７】
次に、数値実施例４の各群のレンズ構成について説明する。Ｕ１は負レンズ、正レンズ４枚で構成されている。Ｕ２は負レンズ、正レンズと負レンズの接合レンズで構成されている。Ｕ３は正レンズと負レンズの接合レンズで構成されている。Ｕ４は負レンズと正レンズの接合レンズで構成されている。Ｕ５は正レンズ２枚、正レンズと負レンズの接合レンズ、正レンズ、負レンズ、正レンズ、負レンズのＵ５１、正レンズ、負レンズと正レンズの接合レンズ、正レンズと負レンズの接合レンズ、正レンズのＵ５２で構成されている。
【００１８】
本発明のズームレンズは、物体側から像側へ順に、ズーミング中に不動の正の屈折力の第１レンズ群を有している。更にズーミング中に移動する負の屈折力の第２レンズ群、ズーミング中に移動する負の屈折力の第３レンズ群、ズーミング中に移動する負の屈折力の第４レンズ群、ズーミング中に不動の正の屈折力の第５レンズ群から構成される。前記第２レンズ群よりも像側に開口絞りを有する。広角端から望遠端へのズーミングに際して、第２レンズ群は物体側から像側へ移動する。広角端からズーム中間へのズーミングに際して、第３レンズ群は像側へ移動する。
【００１９】
図９は数値実施例１の５群ズームレンズにおける近軸配置及び広角端から望遠端へのズーミングにかけての第２レンズ群Ｕ２、第３レンズ群Ｕ３、第４レンズ群Ｕ４の移動軌跡の説明図である。図９に示すように第２レンズ群Ｕ２は変倍のため広角端から望遠端にかけて物体側から像側へ直線的に移動すると、第３レンズ群Ｕ３は広角端からズーム中間において像側に凸形状の軌跡をとる。更に、第３レンズ群Ｕ３はズーム中間から望遠端において、物体側に凸形状の軌跡をとる。第４レンズ群Ｕ４は広角端から望遠端にかけて物体側に凸形状の軌跡をとる。
【００２０】
図１０（ａ）、（ｂ）、（ｃ）は数値実施例１の５群ズームレンズにおけるそれぞれ広角端、ズーム中間、望遠端における光路図である。図１０（ｂ）は、図９に示すズーム域ｚ１の中で第３レンズ群Ｕ３と第４レンズ群Ｕ４の光軸上の間隔が最小となるズーム位置における光路図である。第１レンズ群内の特に物体側に位置するレンズの径は、図１０（ｂ）に示すようにズーム中間域における軸外光線の光軸からの高さによって決まる。したがって、ズーム中間域ｚ１における第１レンズ群Ｕ１を通る軸外光線の光軸からの高さを低く抑えることができれば、第１レンズ群Ｕ１の小型軽量化を実現することが可能となる。
【００２１】
広角側ズーム域ｚ１での全系の焦点距離ｆｚ１を
ｆＷ・Ｚ０．００５  ＜ｆｚ１＜  ｆＷ・Ｚ０．３５            ・・・（Ａ１）
とする。別の言い方をすれば、この広角側ズーム域ｚ１は、広角端からの変倍比がＺ０．００５からＺ０．３５までの間のズーム領域（ズーム範囲、変倍範囲）ということができる。また、上記のｆｚ１をｆＷ・Ｚｚ１と言い換えれば、上記の条件式（Ａ１）は、
０．００５  ＜ｚ１＜  ０．３５                ・・・（Ａ１−１）
と言い換えることができる。
【００２２】
このようにして定義される広角側ズーム域ｚ１における第３レンズＵ３と第４レンズＵ４の光軸上の空気間隔の最小値をＷＭＬ３とする。
【００２３】
一般的に、レンズ群ａとレンズ群ｂの合成焦点距離ｆaｂは、以下の式（１）で表わされる。
１／ｆaｂ＝１／ｆａ＋１／ｆｂ−ｅ´／（ｆａ×ｆｂ）            ・・・式（１）
ここで、ｆa、ｆｂはそれぞれレンズ群a、ｂの焦点距離、ｅ´はレンズ群ａとレンズ群ｂの主点間隔である。
【００２４】
式（１）より、レンズ群ａとレンズ群ｂがともに負の焦点距離を有する場合、レンズ群ａとレンズ群ｂの主点間隔ｅ´を増大させることにより、合成焦点距離ｆaｂを短焦点距離化することができる。一方で、レンズ群ａとレンズ群ｂの主点間隔ｅ´を縮小させることにより、合成焦点距離ｆaｂを長焦点距離化することができる。尚、屈折力は焦点距離の逆数として定義されるため、短焦点距離化はレンズ群の屈折力が強くなること、長焦点距離化はレンズ群の屈折力が弱くなることを意味する。
【００２５】
図１１は本発明の５群ズームレンズのズーム中間域ｚ１における近軸配置及び瞳近軸光線の光路に関する説明図である。ここで瞳近軸光線は、光学系全系の広角端の焦点距離を１、像面の最大増高を１で規格化して入射する光線の内、光学系の入射瞳と光軸との交点を通過する近軸光線である。物体は光学系の左側にあるものとし、物体側から光学系に入射する光線は左から右へ進むものとする。
【００２６】
第３レンズ群Ｕ３が第４レンズ群Ｕ４により近い場合の瞳近軸光線を実線、第３レンズ群Ｕ３が第４レンズ群Ｕ４により遠い場合の瞳近軸光線を点線で示している。式（１）より第３レンズ群Ｕ３と第４レンズ群Ｕ４の光軸上の空気間隔より小さい方が、第３レンズ群Ｕ３と第４レンズ群Ｕ４の合成焦点距離が長くなる。したがって、図１１に示すように瞳中心側から物体側に瞳近軸光線を通した場合、絞り近傍に配置されている第３レンズ群Ｕ３と第４レンズ群Ｕ４の合成屈折力が弱くなるため、第１レンズ群Ｕ１を通る瞳近軸光線の光軸からの高さＨ１を低く抑えられる。これにより第１レンズ群Ｕ１のレンズ径を小さくでき、第１レンズ群の小型軽量化を効果的に実現することが可能となる。
【００２７】
条件式（１）により広角端における第３レンズ群Ｕ３と第４レンズ群Ｕ４の光軸上の空気間隔と広角側ズーム域ｚ１における第３レンズＵ３と第４レンズＵ４の光軸上の空気間隔の最小値の比を規定している。条件式（１）の上限値を上回ると、広角端から広角側ズーム域ｚ１までの第３レンズ群Ｕ３のズーミングに対する移動量が増大し過ぎるため、球面収差、軸上色収差、倍率色収差など諸収差の変動の良好な抑制が困難となる。
【００２８】
条件式（１）の下限値を下回ると、広角側ズーム域ｚ１において第３レンズ群Ｕ３と第４レンズ群Ｕ４の光軸上の空気間隔が大きくなるため、合成焦点距離を十分に長焦点化できず、第１レンズ群Ｕ１のレンズ径が増大し、第１レンズ群Ｕ１の小型軽量が困難となる。
【００２９】
更に好ましくは、条件式（１）を次の如く設定するのが良い。
３．００＜ＷＬ３／ＷＭＬ３＜１２．００                ・・・（１ａ）
【００３０】
条件式（２）により広角端における第２レンズ群Ｕ２と第３レンズ群Ｕ３の光軸上の空気間隔と第３レンズＵ３と第４レンズＵ４の光軸上の空気間隔の比を規定している。条件式（２）の上限値を上回ると、広角端において第３レンズ群Ｕ３の横倍率が大きくなってしまい、広画角化が困難となる。
【００３１】
条件式（２）の下限値を下回ると、広角端において第２レンズ群Ｕ２と第３レンズ群Ｕ３の光軸上の空気間隔が小さくなるため、合成焦点距離を十分に短焦点化できない。よって、広角側において第２、３レンズ群のズーミングに伴う移動量を抑制することができず、レンズ全長の短縮効果が小さくなり、レンズ全長が増大してしまい、高ズーム比化が困難となる。
【００３２】
更に好ましくは、条件式（２）を次の如く設定するのが良い。
０．４０＜ＷＬ２／ＷＬ３＜３．００                    ・・・（２ａ）
【００３３】
条件式（３）により第２レンズ群Ｕ２の焦点距離と第３レンズ群Ｕ３の焦点距離の比を規定している。各レンズ群の屈折力は各レンズ群の焦点距離の逆数で定義される。条件式（３）の上限値を上回ると、第３レンズ群Ｕ３の屈折力が第２レンズ群Ｕ２の屈折力に対して強くなり過ぎ、ズーミングに際して諸収差の変動が増大し、諸収差の変動の良好な抑制が困難となる。又、第２レンズ群Ｕ２の屈折力が第３レンズ群Ｕ３の屈折力に対して弱くなり過ぎ、第２レンズ群Ｕ２のズーミングに伴う移動量が増大し、レンズ全長が増大してしまい、高ズーム比化と小型軽量の両立を達成することが困難となる。
【００３４】
条件式（３）の下限値を下回ると、第３レンズ群Ｕ３の屈折力が第２レンズ群Ｕ２の屈折力に対して弱くなり過ぎ、ズーミングに際して第３レンズ群Ｕ３の移動量が増大し、高ズーム比と小型軽量の両立を達成することが困難となる。又、第２レンズ群Ｕ２の屈折力が第３レンズ群Ｕ３の屈折力に対して強くなり過ぎ、ズーミングに伴う諸収差の変動の良好な抑制が困難となる。
【００３５】
更に好ましくは、条件式（３）を次の如く設定するのが良い。
０．１０＜｜ｆ２／ｆ３｜＜０．５０            ・・・（３ａ）
【００３６】
以上の構成を満たすことにより、本発明の各数値実施例のズームレンズは、広画角、高ズーム比、小型軽量で且つ全ズーム範囲に渡り高い光学性能を達成している。
【００３７】
各数値実施例では図９に示すようにズーミングに際して広角端で第２レンズ群Ｕ２と第３レンズ群Ｕ３の光軸上の空気間隔を広げ、望遠端で第２レンズ群Ｕ２と第３レンズ群Ｕ３の光軸上の空気間隔を狭めている。これにより広角端では第３レンズ群Ｕ３が第２レンズ群Ｕ２の像点から離れるため第３レンズ群Ｕ３の横倍率が小さくなり、レンズ全系をより短焦点化（広画角化）をすることが容易となる。更に、第２レンズ群Ｕ２と第３レンズ群Ｕ３の合成焦点距離が短焦点化するため、広角側において第２、３レンズ群のズーミングに伴う移動量を抑制することができる。よって、レンズ全長の短縮と高ズーム比化の両立を達成することが可能となる。
【００３８】
一方、望遠端では第３レンズ群Ｕ３は第２レンズ群Ｕ２の像点に近付くため、第３レンズ群Ｕ３の横倍率が大きくなり、レンズ全系をより長焦点化（望遠化）することが容易となる。よって、変倍に必要な特に第２レンズ群の移動距離を短くすることが可能となる。
【００３９】
本発明の更なる実施態様として、条件式（４）により広角端、望遠端における第２レンズ群Ｕ２と第３レンズ群Ｕ３の光軸上の空気間隔の比を規定している。
５．００＜｜ＷＬ２／ＴＬ２｜＜２５．００              ・・・（４）
【００４０】
条件式（４）の上限を上回ると、広角端での入射瞳がより像側に位置するようになってしまい、第１レンズ群Ｕ１のレンズ径が大きくなってしまう。よって、広画角化と小型軽量の両立を達成することが困難となる。条件式（４）の下限を下回ると、変倍用のレンズ群の短縮効果が小さくなり、レンズ全長が増大してしまい、高ズーム比化が困難となる。
【００４１】
更に好ましくは、条件式（４）を次の如く設定するのが良い。
８．００＜｜ＷＬ２／ＴＬ２｜＜１８．００          ・・・（４ａ）
【００４２】
本発明の更なる実施態様として、条件式（５）により第３レンズ群Ｕ３の焦点距離と第４レンズ群Ｕ４の焦点距離の比を規定している。
０．５０＜｜ｆ３／ｆ４｜＜２．５０                  ・・・（５）
【００４３】
条件式（５）の上限値を上回ると、第４レンズ群Ｕ４の屈折力が第３レンズ群Ｕ３の屈折力に対して強くなり過ぎ、ズーミングに際して諸収差の変動が増大し、球面収差など諸収差の変動の良好な抑制が困難となる。又、第３レンズ群Ｕ３の屈折力が第４レンズ群Ｕ４の屈折力に対して弱くなり過ぎ、第３レンズ群Ｕ３のズーミングに伴う移動量が増大し、ズーミングに際して諸収差の変動が増大し、球面収差、軸上色収差、倍率色収差など諸収差の変動の良好な抑制が困難となる。
【００４４】
条件式（５）の下限値を下回ると、第４レンズ群Ｕ４の屈折力が第３レンズ群Ｕ３の屈折力に対して弱くなり過ぎ、ズーミングに際して第４レンズ群Ｕ４の移動量が増大し、高ズーム比と小型軽量の両立を達成することが困難となる。又、第３レンズ群Ｕ３の屈折力が第４レンズ群Ｕ４の屈折力に対して強くなり過ぎ、第５レンズ群Ｕ５のレンズ径が増大し、小型軽量化を達成することが困難となる。
【００４５】
更に好ましくは、条件式（５）を次の如く設定するのが良い。
１．１０＜｜ｆ３／ｆ４｜＜１．７０                ・・・（５a）
【００４６】
本発明の更なる実施態様として、条件式（６）により第１レンズ群Ｕ１の焦点距離と広角端における第２、３レンズ群Ｕ３、Ｕ４の合成焦点距離の比を規定している。
４．００＜｜ｆ１／ｆ２３Ｗ｜＜１６．００                ・・・（６）
【００４７】
ここでは合成焦点距離ｆ２３Ｗを、以下のように定義する。
１／ｆ２３Ｗ＝１／ｆ２＋１／ｆ３−ＷＬ２／（ｆ２×ｆ３）        ・・・式（２）
ｆ２、ｆ３はそれぞれ第２レンズ群Ｕ２、第３レンズ群Ｕ３の焦点距離、ＷＬ２は広角端における第２レンズ群Ｕ２と第３レンズ群Ｕ３の光軸上の空気間隔である。
【００４８】
条件式（６）の上限値を上回ると、広角端における第２、３レンズ群の合成焦点距離に対して、第１レンズ群Ｕ１の焦点距離が長くなりすぎるため、第１レンズ群Ｕ１のレンズ径が増大し、第１レンズ群Ｕ１の小型軽量化を達成することが困難となる。又、広角端において第２、３レンズ群の合成焦点距離が短くなりすぎるため、広角側における諸収差の変動の良好な抑制が困難となる。条件式（６）の下限値を下回ると、第１レンズ群Ｕ１の屈折力が広角端における第２、３レンズ群の合成屈折力に対して強くなり過ぎ、第１レンズ群Ｕ１で発生する広角側の倍率色収差や歪曲、望遠側の球面収差など諸収差の変動の良好な抑制が困難となる。
【００４９】
又、広角端における第２、３レンズ群Ｕ２、Ｕ３の合成焦点距離が長焦点化するため、レンズ全系の広画角化が困難になる。更に、広角側でのズーミングに際して第２、３レンズ群Ｕ２、Ｕ３の移動量やレンズ径が増大し、高ズーム比と小型軽量の両立を達成することが困難となる。
【００５０】
更に好ましくは、条件式（６）を次の如く設定するのが良い。
５．５０＜｜ｆ１／ｆ２３Ｗ｜＜１３．００              ・・・（６ａ）
【００５１】
本発明の更なる実施態様として、条件式（７）により第１レンズ群Ｕ１の焦点距離と望遠端における第２、３レンズ群Ｕ３、Ｕ４の合成焦点距離の比を規定している。
３．００＜｜ｆ１／ｆ２３Ｔ｜＜１０．００                ・・・（７）
【００５２】
ここでは合成焦点距離ｆ２３Ｔを、以下のように定義する。
１／ｆ２３Ｔ＝１／ｆ２＋１／ｆ３−ＴＬ２／（ｆ２×ｆ３）        ・・・式（３）
ｆ２、ｆ３はそれぞれ第２レンズ群Ｕ２、第３レンズ群Ｕ３の焦点距離、ＴＬ２は望遠端における第２レンズ群Ｕ２と第３レンズ群Ｕ３の光軸上の空気間隔である。
【００５３】
条件式（７）の上限値を上回ると、望遠端における第２、３レンズ群の合成焦点距離に対して、第１レンズ群Ｕ１の焦点距離が長くなりすぎるため、第１レンズ群Ｕ１のレンズ径が増大し、第１レンズ群Ｕ１の小型軽量化を達成することが困難となる。又、望遠端において第２、３レンズ群の合成焦点距離が短くなりすぎるため、望遠側における諸収差の変動の良好な抑制が困難となる。
【００５４】
条件式（７）の下限値を下回ると、第１レンズ群Ｕ１の屈折力が望遠端における第２、３レンズ群の合成屈折力に対して強くなり過ぎ、第１レンズ群Ｕ１で発生する広角側の倍率色収差や歪曲、望遠側の球面収差など諸収差の変動の良好な抑制が困難となる。又、望遠側でのズーミングに際して第２、３レンズ群Ｕ２、Ｕ３の移動量及びレンズ径が増大し、高ズーム比と小型軽量の両立を達成することが困難となる。
【００５５】
更に好ましくは、条件式（７）を次の如く設定するのが良い。
４．００＜｜ｆ１／ｆ２３Ｔ｜＜８．００                    ・・・（７ａ）
【００５６】
本発明の更なる実施態様として、第３レンズ群Ｕ３の少なくとも１面に非球面を有することを規定している。広角端からズーム中間、又はズーム中間から望遠端において、第３レンズ群Ｕ３を通るズーミングに伴う特に軸上光線や軸外光線の光軸からの高さの変化は大きい。よって、第３レンズ群Ｕ３の少なくとも1面に非球面を配置することで、特にズーミングに伴う球面収差やコマ収差などの諸収差の変動を効果的に抑制することが可能となる。
【００５７】
本発明の更なる実施態様として、第３レンズ群Ｕ３は少なくとも１枚の正レンズ、少なくとも１枚の負レンズを有することを規定している。広角端からズーム中間、又はズーム中間から望遠端において、第３レンズ群Ｕ３を通るズーミングに伴う軸上光線や軸外光線の光軸からの高さの変化は大きい。よって、第３レンズ群Ｕ３に少なくとも１枚の正レンズ、少なくとも１枚の負レンズを配置することで、ズーミングに伴う軸上色収差や倍率色収差などの諸収差の変動を効果的に抑制することが可能となる。
【００５８】
本発明の更なる実施態様として、無限遠から有限距離に合焦をする際に第１レンズ群Ｕ１の一部を像側から物体側へ駆動することでフォーカス調整を行うことを規定している。これにより変倍部である第２レンズ群Ｕ２に対する物点位置を一定に保つことが可能となるため、フォーカス調整による画界変化を発生させなくすることが可能となる。
【００５９】
本発明の更なる実施態様として、軸上光線及び軸外光線の光軸からの高さが比較的に低い第４レンズ群Ｕ４でフォーカス調整を行うことで、フォーカスに伴う収差変動を良好に補正するとともに、第１レンズ群Ｕ１の小型軽量化を達成している。更に、レンズ径の小さい第４レンズ群でフォーカス調整を行うため、フォーカス群の駆動力が小さくて済み、迅速なフォーカスが容易となる。尚、第２レンズ群Ｕ２でフォーカス調整を行おうとすると、特定のズームポジジョンでフォーカス調整ができないという問題が生じる。一方、第３レンズ群Ｕ３でフォーカス調整を行うことは可能であるが、第３レンズ群Ｕ３は第４レンズ群Ｕ４よりも開口絞りから遠く、軸外光線の光軸からの高さが高いため、フォーカスに伴う倍率色収差や非点収差などの諸収差の変動を抑制することが困難になる。
【００６０】
本発明の更なる実施態様として、開口絞りが第４レンズ群Ｕ４と第５レンズ群Ｕ５の間に位置することを規定している。これによりＦ落ちポイントまでのＦナンバーを一定に保つことができる。
【００６１】
本発明の更なる実施態様として、条件式（８）及び条件式（９）により広角端の全系の焦点距離及びズーム比の好ましい範囲を規定している。
０．４０＜ｆＷ／φ                    ・・・（８）
１０．００＜Ｚ                        ・・・（９）
【００６２】
条件式（８）の下限値を下回ると、広角端における画角が過度に広くなり、第１レンズ群Ｕ１のレンズ径は広角側において決定されてしまうため、本発明の効果が得られなくなる。
【００６３】
更に好ましくは、条件式（８）を次の如く設定するのが良い。
０．６５＜ｆｗ／φ＜１．８０                  ・・・（８ａ）
【００６４】
条件式（８）の下限値を下回ると、従来の構成であっても小型軽量化が達成することが可能なため、本発明の効果が得られなくなる。
【００６５】
数値実施例１〜４は条件式（１）〜（９）を満足している。これにより本発明のズームレンズは広画角、高ズーム比、小型軽量で且つ全ズーム範囲に渡り高い光学性能を達成している。
【００６６】
図１２を用いて、各数値実施例のズームレンズを撮影光学系として用いた撮像装置（テレビカメラシステム）の概要を説明する。図１２は本発明の撮像装置の要部概略図である。図１２において１０１は数値実施例１〜４のいずれか１つのズームレンズである。１２３はカメラである。ズームレンズ１０１はカメラ１２３に対して着脱可能になっている。１２４はカメラ１２３にズームレンズ１０１を装着することにより構成される撮像装置である。
【００６７】
ズームレンズ１０１は第１レンズ群Ｕ１、変倍群ＬＺ、焦点距離変換光学系ＦＤＣ、第５レンズ群Ｕ５を有している。変倍群ＬＺは焦点調節用レンズ群が含まれている。変倍部ＬＺは変倍の為に光軸上を移動する群と、変倍に伴う像面変動を補正する為に光軸上を移動する群が含まれている。変倍群ＬＺと第５レンズ群Ｕ５の間に開口絞りＳＰを有している。第５レンズ群Ｕ５はズーミング中に不動の第５１レンズ群Ｕ５１、焦点距離変換光学系ＦＤＣ及び第５２レンズ群Ｕ５２が含まれている。
【００６８】
１１５は変倍群ＬＺを光軸方向に駆動するヘリコイドやカムやアクチュエーター等の駆動機構である。１１６、１１７は駆動機構１１５及び開口絞りＳＰを電動駆動するモータ（駆動手段）である。１１８、１１９は変倍部ＬＺの光軸上の位置や、開口絞りＳＰの絞り径を検出する為のエンコーダやポテンショメータ、あるいはフォトセンサ等の検出器である。カメラ１２３において、１０９はカメラ１２３内の光学フィルタや色分解プリズムに相当するガラスブロック、１１０はズームレンズ１０１によって形成された被写体像を受光するＣＣＤセンサやＣＭＯＳセンサ等の撮像素子（光電変換素子）である。また、１１１、１２０はカメラ１２３及びズームレンズ本体１０１の各種の駆動を制御するＣＰＵである。
【００６９】
このように本発明のズームレンズをテレビカメラに適用することにより、高い光学性能を有する撮像装置を実現している。
【００７０】
以下の各数値実施例において、ｒは物体側より各面の曲率半径、ｄは各面の間隔、ｎｄとνｄは各光学部材の屈折率とアッベ数である。非球面形状は光軸方向にＸ軸、光軸と垂直方向にＨ軸、光の進行方向を正とし、Ｒを近軸曲率半径、ｋを円錐常数、Ａ３、Ａ４、Ａ５、Ａ６、Ａ７、Ａ８、Ａ９、Ａ１０、Ａ１１、Ａ１２、Ａ１３、Ａ１４、Ａ１５、Ａ１６を各々非球面係数としたとし次式で表す。又、例えば「ｅ−Ｚ」は「×１０−Ｚ」を意味する。＊印は非球面であることを示している。
【００７１】
【数１】
2020003512.tif 000003
【００７２】
＜数値実施例１＞
面番号        r            d        nd           vd      有効径  焦点距離
1       -3240.814       2.10    1.85478         24.8    72.06   -116.65 
2         103.916       4.71    1                       69.75   
3         144.329       9.51    1.59522         67.7    70.02   147.48 
4        -220.526       5.19    1                       69.70   
5          90.750       8.81    1.59522         67.7    66.05   133.86 
6        -647.967       0.15    1                       65.67   
7          59.376       6.81    1.77250         49.6    61.68   127.63 
8         140.786      (可変)   1                       60.59   
9*       -667.500       0.75    2.00330         28.3    22.27   -13.01 
10         13.429       5.19    1                       18.22   
11        -30.014       4.24    1.92286         18.9    18.17    28.03 
12        -14.939       0.62    1.88300         40.8    18.65   -14.15 
13         80.782       0.13    1                       19.40   
14         35.456       4.10    1.71736         29.5    19.95   28.12 
15        -45.367      (可変)   1                       20.03   
16        -28.374       0.63    1.43875         94.9    19.92   -81.38 
17       -137.822      (可変)   1                       20.68   
18        -30.895       0.81    1.77250         49.6    24.02   -28.67 
19         80.427       3.01    1.80518         25.4    26.60   69.06 
20       -182.565      (可変)   1                       27.39   
21(絞り)     ∞         1.36    1                       29.08   
22      -3855.468       5.83    1.65844         50.9    30.38   50.32 
23        -33.025       0.13    1                       31.42   
24        131.928       4.33    1.53172         48.8    32.57   104.97 
25        -96.453       0.13    1                       32.68   
26         48.460       8.28    1.49700         81.5    32.28   43.48 
27        -36.976       0.93    1.88300         40.8    31.71   -40.78 
28       1785.440      35.94    1               31.59   
29         77.783       5.58    1.50127         56.5    30.26   64.05 
30        -53.744       0.97    1                       29.96   
31        101.831       0.90    1.88300         40.8    27.67   -24.61 
32         17.922       7.32    1.54814         45.8    25.72   32.91 
33       1307.917       0.57    1                       25.82   
34         74.958       5.79    1.54814         45.8    25.98   41.70 
35        -32.220       0.90    2.00100         29.1    25.86   -26.29 
36        152.392       0.14    1                       26.48   
37         36.347       7.09    1.53172         48.8    27.61   37.12 
38        -40.698       4.50    1                       27.63   
39           ∞        33.00    1.60859         46.4    40.00     
40           ∞        13.20    1.51680         64.2    40.00     
41           ∞                                         40.00     
像面         ∞
【００７３】
非球面データ
第9面
K = 0.00000e+000  A 4= 1.13538e-005  A 6=-7.07980e-008  A 8= 1.08031e-009  A10=-8.25925e-012  A12= 2.17431e-014  
【００７４】
各種データ
ズーム比     20.00 
広角     中間     望遠
焦点距離       8.00    12.93   160.00  
Fナンバー      1.80     1.80     2.60  
半画角        34.51    23.04     1.97  
像高           5.50     5.50     5.50  
レンズ全長   258.30   258.30   258.30  
BF             7.00     7.00     7.00
d 8            0.97    14.64    49.78  
d15           30.63    31.25     3.58  
d17           25.03     6.37     3.48  
d20            1.02     5.39     0.81  
入射瞳位置    39.85    68.53   604.57  
射出瞳位置   435.92   435.92   435.92  
前側主点位置  48.00    81.86   824.28  
後側主点位置  -1.00    -5.94  -153.01  
【００７５】
ズームレンズ群データ
群  始面    焦点距離  レンズ構成長  前側主点位置  後側主点位置
1    1      66.92        37.28        21.90         -2.46
2    9     -14.74        15.02        -1.31        -14.07
3   16     -81.38         0.63        -0.11         -0.55
4   18     -50.05         3.82        -0.48         -2.62
5   22      61.25       135.54        67.01       -152.43
【００７６】
＜数値実施例２＞
面データ
面番号        r            d        nd           vd      有効径  焦点距離
1       -4046.446       2.10    1.84666         23.8    70.99   -111.49 
2          97.654       7.44    1                       68.19   
3         116.496       10.65   1.59522         67.7    68.55   123.90 
4        -195.967       0.15    1                       68.50   
5          94.009       8.47    1.59522         67.7    67.94   151.32 
6       -2264.513       0.15    1                       67.34   
7          55.390       6.77    1.76385         48.5    61.98   133.13 
8         114.524      (可変)   1                       60.76   
9*        279.986       0.75    1.88300         40.8    25.72   -14.95 
10         12.663       6.27    1                       19.77   
11        -40.495       4.47    1.80810         22.8    19.66   31.61 
12        -16.545       0.62    1.88300         40.8    19.76   -14.49 
13         58.860       0.12    1                       20.22   
14         31.724       4.37    1.71736         29.5    20.74   27.93 
15        -52.345      (可変)   1                       20.72   
16        -28.683       0.63    1.53775         74.7    18.43   -74.90 
17*       -99.622      (可変)   1                       18.96   
18        -28.447       0.81    1.77250         49.6    22.93   -24.89 
19         60.986       3.22    1.80518         25.4    25.52   56.49 
20       -181.207      (可変)   1                       26.27   
21(絞り)     ∞         0.95    1                       29.57   
22        232.812       6.16    1.65844         50.9    30.92   47.65 
23        -36.076       0.13    1                       31.81   
24        167.747       4.36    1.53172         48.8    32.43   104.62 
25        -83.079       0.13    1                       32.47   
26         51.776       7.83    1.49700         81.5    31.68   44.85 
27        -37.361       0.93    1.88300         40.8    31.02   -37.11 
28        283.225      35.97    1                       30.71   
29         38.003       6.68    1.50127         56.5    29.72   48.53 
30        -64.372       1.02    1                       29.14   
31       -212.414       0.90    1.88300         40.8    27.47   -21.46 
32         20.980       6.59    1.54814         45.8    25.70   36.28 
33       -375.619       0.57    1                       25.59   
34         60.452       6.20    1.54814         45.8    25.33   35.92 
35        -28.349       0.90    2.00100         29.1    24.87   -28.65 
36      -1472.581       0.18    1                       25.06   
37         51.649       5.57    1.53172         48.8    25.59   44.58 
38        -42.539       4.50    1                       25.63   
39           ∞        33.00    1.60859         46.4    40.00 
40           ∞        13.20    1.51680         64.2    40.00 
41           ∞                                         40.00
像面         ∞
【００７７】
非球面データ
第9面
K = 0.00000e+000  A 4= 1.31153e-005  A 6=-8.29537e-008  A 8= 6.18202e-010  A10=-2.93569e-012  A12= 5.51667e-015  
第17面
K = 0.00000e+000  A 4= 1.75083e-006  A 6=-2.69319e-008  A 8= 1.73979e-010  
【００７８】
各種データ
ズーム比     22.00 
広角     中間     望遠
焦点距離       7.80    14.96   171.60  
Fナンバー      1.90     1.90     2.80  
半画角        35.19    20.18     1.84  
像高           5.50     5.50     5.50  
レンズ全長   265.94   265.94   265.94  
BF             9.98     9.98     9.98  
d 8            0.98    18.30    49.08  
d15           21.22    32.25     2.41  
d17           38.19     3.43    10.95  
d20            2.79     9.19     0.73  
入射瞳位置    39.52    82.03   725.92  
射出瞳位置   797.75   797.75   797.75  
前側主点位置  47.40    97.28   934.90  
後側主点位置   2.18    -4.98  -161.62  
【００７９】
ズームレンズ群データ
群  始面    焦点距離  レンズ構成長  前側主点位置  後側主点位置
1    1      66.12        35.74        20.45         -1.94
2    9     -15.97        16.61        -0.88        -14.84
3   16     -74.90         0.63        -0.17         -0.58
4   18     -45.60         4.03        -0.47         -2.73
5   22      59.54       134.83        62.60       -144.71
【００８０】
＜数値実施例３＞
面データ
面番号        r            d        nd           vd    有効径  焦点距離
1       -182.955        2.40    1.85478         24.8    78.73   -122.52 
2        251.965        6.11    1                       77.50   
3       -428.185        8.19    1.49700         81.5    77.68   307.04 
4       -113.465        0.29    1                       78.14   
5        424.295        6.68    1.49700         81.5    76.89   286.20 
6       -213.795        6.84    1                       76.66   
7        115.485        9.14    1.59522         67.7    75.24   160.31 
8       -543.814        0.13    1                       74.91   
9         62.037        7.42    1.77250         49.6    69.66   139.65 
10       137.464       (可変)   1                       68.78   
11*      357.465        1.00    2.00330         28.3    24.01   -14.24 
12        13.831        6.17    1                       19.35   
13       -31.254        6.58    1.80810         22.8    19.15   20.40 
14       -11.892        0.75    1.88300         40.8    19.56   -12.37 
15       147.939        0.08    1                       21.01   
16        47.563        4.27    1.69895         30.1    21.57   30.84 
17       -38.498       (可変)   1                       21.75   
18       -29.619        1.00    1.43875         94.9    21.29   -118.27 
19       -69.490       (可変)   1                       22.03   
20       -36.440        0.75    1.88300         40.8    22.74   -29.69 
21        96.378        3.16    1.84666         23.9    24.41   53.31 
22       -85.161       (可変)   1                       25.16   
23(絞り)     ∞         0.88    1                       31.72   
24      1119.199        4.05    1.65844         50.9    32.43   74.50 
25       -51.476        0.07    1                       32.92   
26        82.512        4.41    1.53172         48.8    33.93   87.15 
27      -104.884        0.10    1                       33.93   
28        40.195        9.72    1.49700         81.5    33.01   48.39 
29       -55.458        0.93    1.88300         40.8    31.40   -37.41 
30        83.528       35.96    1                       30.51   
31        53.757        5.74    1.50127         56.5    29.18   54.78 
32       -54.591        1.40    1                       28.80   
33      -405.071        0.90    1.88300         40.8    26.79   -20.87 
34        19.442        6.93    1.54814         45.8    25.26   33.73 
35      -367.582        0.27    1                       25.61   
36        44.666        7.17    1.54814         45.8    26.16   34.26 
37       -30.831        0.90    2.00100         29.1    25.98   -27.70 
38       304.054        0.06    1                       26.60   
39        38.593        6.64    1.53172         48.8    27.53   40.08 
40       -45.239        4.50    1                       27.49   
41           ∞        33.00    1.60859         46.4    40.00 
42           ∞        13.20    1.51680         64.2    40.00 
43           ∞                                         40.00
像面         ∞
【００８１】
非球面データ
第11面
K =-2.22956e+002  A 4= 1.54500e-005  A 6=-4.88680e-008  A 8= 2.91257e-010  A10=-1.17746e-012  A12= 1.29141e-015  
【００８２】
各種データ
ズーム比     24.00 
広角     中間     望遠
焦点距離       7.80    16.34   187.20  
Fナンバー      1.80     1.80     2.80  
半画角        35.19    18.60     1.68  
像高           5.50     5.50     5.50  
レンズ全長   280.81   280.81   280.81  
BF             6.99     6.99     6.99  
d10            1.00    23.71    55.06  
d17           41.72    25.63     4.88  
d19           15.02     2.90     5.60  
d22            8.30    13.80     0.49  
入射瞳位置    44.67    96.40   753.59  
射出瞳位置   357.91   357.91   357.91  
前側主点位置  52.64   113.51   1040.66  
後側主点位置  -0.81    -9.36  -180.22  
【００８３】
ズームレンズ群データ
群  始面    焦点距離  レンズ構成長  前側主点位置  後側主点位置
1    1      69.30        47.19        30.25          0.84
2   11     -15.89        18.84        -1.48        -18.02
3   18    -118.27         1.00        -0.52         -1.22
4   20     -70.62         3.91        -1.48         -3.66
5   24      68.19       136.85        78.90       -144.56
【００８４】
＜数値実施例４＞
面データ
面番号        r            d        nd           vd    有効径  焦点距離
1       -2887.062       2.88    1.80440         39.6    116.29  -258.53 
2         225.657       1.75    1                       113.73  
3         248.497       12.54   1.43387         95.1    113.72  358.61 
4        -412.561       9.15    1                       113.41  
5         280.430       9.40    1.43387         95.1    111.56  487.99 
6        -864.246       0.20    1                       111.49  
7         156.676       11.16   1.43387         95.1    110.16  393.90 
8        1792.058       0.20    1                       109.56  
9         118.525       11.14   1.43387         95.1    104.83  369.75 
10        437.776       (可変)  1                       103.68  
11        777.621       1.50    1.88300         40.8    44.44   -47.53 
12         40.005       7.78    1                       39.11   
13        -88.459       6.07    1.95906         17.5    38.78   51.83 
14        -33.180       1.50    1.81600         46.6    38.63   -36.24 
15        291.003       (可変)  1                       36.94   
16        -41.959       2.41    1.54814         45.8    22.74   1510.39 
17        -40.761       1.23    1.81600         46.6    23.24   -72.93 
18       -129.710       (可変)  1                       23.89   
19        -46.788       1.30    1.71700         47.9    27.31   -36.44 
20         60.522       3.07    1.84666         23.8    29.54   81.71 
21        442.066       (可変)  1                       30.07   
22(絞り)     ∞         1.08    1                       38.43   
23        280.645       6.18    1.60300         65.4    39.79   74.61 
24        -53.362       0.25    1                       40.39   
25       1811.621       6.04    1.61800         63.3    41.04   115.16 
26        -74.275       0.12    1                       41.30   
27         79.041       8.09    1.49700         81.5    40.03   63.24 
28        -50.649       1.30    1.80518         25.4    39.54   -67.94 
29       -619.934       0.17    1                       38.99   
30        105.724       4.40    1.51633         64.1    38.43   148.83 
31       -281.172       2.80    1                       37.84   
32       -206.011       1.30    1.77250         49.6    36.45   -84.60 
33         96.655       0.15    1                       35.67   
34         34.672       4.58    1.80518         25.4    35.40   86.12 
35         64.649       2.94    1                       34.27   
36      -1180.084       1.30    1.77250         49.6    33.99   -63.26 
37         51.262       50.00   1                       32.79   
38         80.146       5.58    1.57501         41.5    32.66   65.59 
39        -70.177       2.15    1                       32.35   
40        431.626       1.25    1.88300         40.8    29.99   -52.82 
41         42.255       4.66    1.51823         58.9    28.87   78.67 
42      -1258.641       0.15    1                       28.42   
43         38.857       7.54    1.48749         70.2    27.46   43.11 
44        -43.181       1.25    1.88300         40.8    26.00   -45.74 
45        694.640       0.30    1                       25.24   
46         95.135       4.66    1.51742         52.4    24.83   233.43 
47        433.289       3.80    1                       23.42   
48           ∞        33.00    1.60859         46.4    40.00 
49           ∞        13.20    1.51680         64.2    40.00 
50           ∞                                         40.00
像面         ∞
【００８５】
各種データ
ズーム比     40.00 
広角     中間     望遠
焦点距離      10.00    34.59   400.00  
Fナンバー      2.00     2.00     3.70  
半画角        28.81     9.03     0.79  
像高           5.50     5.50     5.50  
レンズ全長   396.60   396.60   396.60  
BF            12.97    12.97    12.97  
d10            1.65    63.69   116.55  
d15           77.40    41.09     4.37  
d18           42.04     7.42     8.53  
d21           11.02    19.90     2.66  
入射瞳位置    84.51   295.27   1857.56  
射出瞳位置   496.37   496.37   496.37  
前側主点位置  94.72   332.34   2588.58  
後側主点位置   2.97   -21.62  -387.04  
【００８６】
ズームレンズ群データ
群  始面    焦点距離  レンズ構成長  前側主点位置  後側主点位置
1    1     155.00        58.43        33.19         -8.98
2   11     -31.59        16.85         2.99         -9.16
3   16     -75.00         3.64        -0.29         -2.54
4   19     -66.00         4.37         0.20         -2.21
5   23      96.01       167.15       109.74       -221.72
【００８７】
【表１】
2020003512.tif 000004
【符号の説明】
【００８８】
Ｕ１    ：  第１群
Ｕ２    ：  第２群
Ｕ３    ：  第３群
Ｕ４    ：  第４群
Ｕ５    ：  第５群
Ｕ５１  ：  第５１群
Ｕ５２  ：  第５２群
Ｆ      ：  フォーカス群
ＳＰ    ：  開口絞り
ＬＺ    ：  変倍群
ＦＤＣ  ：  焦点距離変換光学系
Ｐ      ：  色分解プリズムや光学フィルタを示すガラスブロック
ＩＰ    ：  撮像面
１０１  ：  ズームレンズ
１０９  ：  ガラスブロック
１１０  ：  撮像素子
１１１、１２０    ：  ＣＰＵ
１２３  ：  カメラ
１２４  ：  撮像装置
【図１】
2020003512.tif 000005
【図２】
2020003512.tif 000006
【図３】
2020003512.tif 000007
【図４】
2020003512.tif 000008
【図５】
2020003512.tif 000009
【図６】
2020003512.tif 000010
【図７】
2020003512.tif 000011
【図８】
2020003512.tif 000012
【図９】
2020003512.tif 000013
【図１０】
2020003512.tif 000014
【図１１】
2020003512.tif 000015
【図１２】
2020003512.tif 000016